(57)【要約】      （修正有）【課題】広いスペースがなくても履物を収納することができるので収納性に優れており、履物全体を覆うので、埃をかぶることも防止でき、又履物の種類等を容易に判別することができる吊下形履物カバーを提供する。【解決手段】カバー本体１は履物を出し入れする収納口２を表側に、ハイヒール２１のヒール２１Ａを外側に突出させる開口部３を裏側に設けてある。カバー本体１は上端側１Ｃにループ状吊下紐４Ａと、該吊下紐４Ａに挿装した係止駒４Ｂとからなる吊下具４が取着してある。【選択図】図５
0003166775.tif 000002
【実用新案登録請求の範囲】
【請求項１】
収納口（２）から履物を収納するようにしたカバー本体（１）と、該ガバー本体（１）に設けた吊下具（４）とから構成してなる吊下形履物カバー。
【請求項２】
前記カバー本体（１）は、前記収納口（２）の口縁（２Ａ）に伸縮製材を設けることにより、吊下時には該収納口（２）が縮小するようにしてあることを特徴とする請求項１記載の吊下形履物カバー。
【請求項３】
前記カバー本体（１）には、前記履物を構成する尖状踵部を外側に突出させるための開口部（３）を設けてあることを特徴とする請求項１記載の吊下形履物カバー。
【請求項４】
前記吊下具（４）は、前記カバー本体（１）の上端側（１Ｃ）に設けたループ状吊下紐（４Ａ）と、該吊下紐（４Ａ）の上端側に設けた係止駒（４Ｂ）とから構成してある請求項１記載の吊下形履物カバー。
【請求項５】
前記カバー本体（１）は、前記収納口（２）が開放する状態に構成することにより、通気性をもたせてあることを特徴とする請求項１記載の吊下形履物カバー。
【請求項６】
前記カバー本体（１）には、収納する前記履物の色、種類、使用者等を視認できる標識（５）を設けてあることを特徴とする請求項１記載の吊下形履物カバー。
【考案の詳細な説明】
【技術分野】
【０００１】  本考案は、日常使用する履物を、少スペースで収納できる様にした吊下形履物カバーに関する。
【背景技術】
【０００２】  日常生活では、脱いだ履物を片づける為に靴箱を用いている。又、片側の靴の上に、もう片方の靴を乗せて収納する様にした道具が提案されている（特許文献１）。
【先行技術文献】
【特許文献】
【０００３】
【特許文献１】  特開２００６−３４８４６号公報
【考案の概要】
【考案が解決しようとする課題】
【０００４】  靴箱の棚に置いて収納する場合、その上部に無駄な空間が生じ、収納効率が悪く、大きなスペースを必要とした。又、特許文献１に示す靴を上下に支える道具は、安定性にかける欠点があるし、下の靴に水滴や汚れが落ちてしまうという欠点がある。【０００５】  本考案は、上述した従来の技術の欠点に鑑みなされたもので、広いスペースがなくても履物を収納することができるので収納性に優れており、履物全体を覆うので、埃をかぶることも防止でき、又履物の種類等を容易に判別することができる吊下形履物カバーを提供することを目的とする。
【課題を解決するための手段】
【０００６】  上述した課題を解決するために構成した本考案は、収納口（２）から履物を収納するようにしたカバー本体（１）と、該カバー本体（１）に設けた吊下具（４）とからなる。【０００７】  前記カバー本体（１）は、前記収納口（２）の口縁（２Ａ）に伸縮性材を設けることにより、吊下時には該収納口（２）が縮小するようにしてある。【０００８】  前記カバー本体（１）には、前記履物を構成する尖状踵部を外側に突出させるための開口部（３）を設けるとよい。【０００９】  前記吊下具（４）は、前記カバー本体（１）の上端側（１Ｃ）に設けたループ状吊下紐（４Ａ）と、該吊下紐（４Ａ）の上端側（１Ｃ）に設けた係止駒（４Ｂ）とから構成してある。【００１０】  前記カバー本体（１）は、前記収納口（２）を開放する状態に構成することにより、通気性をもたせてある。【００１１】  前記カバー本体（１）には、収納する前記履物の色、種類、使用者等を視認できる標識（５）を設けるとよい。
【考案の効果】
【００１２】本考案は上述のごとく構成したから、下記の諸効果を奏する。
（１）靴箱内やスタンドに吊下げて収納することにより、履物の上部の無駄な空間がなくなり少スペースで効率よく収納することができ、片付けが簡単である。
（２）カバー本体は収納口が伸縮性材なので収納が容易である。
（３）カバー本体は履物を構成する尖状踵部を外側に突出させるための開口部を設けてあるので多種類の履物の収容に対応できる。
（４）カバー本体の上端側にループ状吊下紐と係止駒からなる吊下具を設け、靴箱内の支持棒にループ状吊下紐をかけまわし係止駒をくぐらせることにより簡単に履物を吊下げることができる。
（５）カバー本体の収納口を開放することにより通気性を持たせたので臭いや湿気など発散させることができる。
（６）カバー本体には使用者等を視認出来る標識を取りつけたから、靴の種類とか持ち主などを速やかに間違いなく確認できる。
【図面の簡単な説明】
【００１３】
【図１】本考案の実施の形態にかかる吊下形履物カバーの正面図である。
【図２】背面図である。
【図３】右側面図である。
【図４】ハイヒールを収納した状態の背面図である。
【図５】ハイヒールを収納した状態の右側面図である。
【図６】靴箱を使用して収納する状態の説明図である。
【図７】スタンドを使って収納する状態の説明図である。
【考案を実施するための形態】
【００１４】  以下、本考案を実施するための第１の実施の形態について説明する。
図１〜図３は、吊下形履物カバーの全体構成を示す。１は、カバー本体を示し、該カバー本体１は、例えば防水性を有する布で楕円形の袋状に縫製してある。２は、カバー本体１の全長の下端１Ｂから略３分の１の位置から上端側１Ｃにかけて形成した収納口を示す。そして該収納口２の口縁２Ａにゴム等の伸縮性材料を全周に渡って設けてあり、収納口は拡縮可能になっている。
【００１５】  ３は、カバー本体１の裏面１Ｄに中央から上端１Ｃにかけて形成した開口部で該開口部３は例えばハイヒールの尖状踵部２１Ａを外側に突出させるためのものである。
【００１６】  ４は、カバー本体１を吊下げる為の吊下具で、該吊下具４は、カバー本体１の収納口２の上端側にループ状に取り付けた吊下紐４Ａと、該吊下紐４Ａに摺動可能に挿装した係止駒４Ｂとからなる。このようにしたから、カバー本体１を吊下げた時に収納口２が、すぼめられる状態になるので収納したハイヒール２１の納まりが良い。
【００１７】  次に上記の構成からなる吊下形履物カバーの使用方法について説明する。脱いだハイヒール２１を収納する場合には、カバー本体１内に収納口２を押し開いてハイヒール２１を入れ、この時ヒール２１Ａは、開口部３から外側に突出させることによりカバー本体１内にハイヒール２１を収納する。そして例えば靴箱３１内の支持棒３２に吊下紐４Ａをかけまわし係止駒４Ｂを吊下紐４Ａにくぐらせる。これによりカバー本体１は支持棒３２に簡単に吊下げることができるし、取り外すこともできる。
【００１８】  この様に吊下形履物カバーは、ハイヒール２１のみならず様々な履物を収納して靴箱３１内に吊下げて収納する様にしたので、場所をとらずに沢山の履物を収納できる。又、半年後に使用するシーズン性のある履物を長期保管しても埃をかぶるのを防ぐことができる。
【００１９】  なお、図１において５は、カバー本体１の表面１Ａの適宜の位置に接着した標識で該標識５は例えば収納する靴の色、靴の種類や靴の所有者の名前を布切れに表したものである。こうすることにより、所望の靴を速やかに取り出すことができる
【００２０】図７はスタンド４１を用いてハイヒール２１を吊下げた状態の説明図である。この様にすることで例えば、風通しの良い場所で虫干しや、乾燥ができる。
【符号の説明】
【００２１】１    カバー本体
２    収納口
２Ａ  口縁
３    開口部
４    吊下具
４Ａ  ループ状吊下紐
４Ｂ  係止駒
５    標識
【図１】
0003166775.tif 000003
【図２】
0003166775.tif 000004
【図３】
0003166775.tif 000005
【図４】
0003166775.tif 000006
【図５】
0003166775.tif 000007
【図６】
0003166775.tif 000008
【図７】
0003166775.tif 000009